(57)【特許請求の範囲】
【請求項１】
エレベータの運転を、上記エレベータが最終的に具備すべき運転であって、乗場に設けられた運転休止スイッチによって休止する通常運転、並びに、上記通常運転に至る前の据付途中の運転であって、上記乗場に上記運転休止スイッチが未設置の状態で行われる特殊運転に切り分ける切替スイッチと、
かご内に設けられ、上記通常運転の下では上記エレベータの運転休止以外の目的に使用され、上記特殊運転の下では機能変更処理手段によって上記機能を変更して上記運転休止の目的に使用されるかご内スイッチと、
を備えたエレベータの制御装置において、
上記切替スイッチによる上記エレベータの運転の切り分けに基づき上記かご内スイッチの操作状態をスイッチ状態判別手段で判別し、その判別結果によって上記エレベータを休止させて上記エレベータの戸を開放状態にし、更に、上記エレベータへの電源を遮断することにより人為によって又は別途装着された戸閉機構によって上記戸の閉鎖を可能とし、上記電源を再投入することにより電源投入時戸開指令手段を作動させて閉鎖している上記戸を開放状態にし、更に、上記かご内スイッチを操作することにより上記休止を解除して運転を再開させるようにしたエレベータの制御装置。
【請求項２】
かご内に複数個のかご内スイッチが設けられ、
スイッチ状態判別手段は、上記複数個のかご内スイッチの操作状態を判別し、その判別結果によってエレベータを休止させるものとした請求項１に記載のエレベータの制御装置。
【請求項３】
電源投入時戸開指令手段を、戸を開放させると共に、かご内照明装置を点滅させる照明スイッチの状態に無関係に上記かご内照明装置を点灯させるものとした請求項１に記載のエレベータの制御装置。
【発明の詳細な説明】
【０００１】
【発明の属する技術分野】
この発明は、運転休止をかご内に設けられたスイッチで行うエレベータの制御装置に係る。
【０００２】
【従来の技術】
従来、夜間、休日等には、エレベータを運転休止状態にして、かごが乗場呼びに応答しないようにしている。エレベータを運転休止状態にするには、例えば、基準階の乗場操作盤に呼び釦と共に設置された運転休止スイッチによるのが一般的である。特開平３−１７２２８９号公報には、乗場操作盤のフェースプレートの裏面にタッチセンサを取り付けて他階の乗場操作盤と外観上違和感が生じないようにし、フェースプレートの該当部位を表面から所定回数触ると作動してエレベータを休止させるようにした運転休止スイッチが開示されている。
また、特開平４−１７９６８３号公報には、運転休止スイッチは設けられないが、乗場釦を、乗場呼びを登録する場合の操作とは異なる態様で操作することにより、エレベータを運転休止させたり復帰させたりする装置が開示されている。
【０００３】
ところで、建築基準法施行令第１２９乗の９第１項第４号（以下、政令規定という。）に、かご内およびかご上で動力を切ることができる装置の設置が義務付けられている。これは、安全上の観点から、又は部外者による無断使用を阻止する観点から設置されるものである。従って、上記政令規定の装置を、エレベータを単に休止させるために乗場釦の操作によって作動させてエレベータを運転休止させたり復帰させたりすることは規定の趣旨に適さないと考えられる。
【０００４】
【発明が解決しようとする課題】
エレベータの運転休止スイッチは、上記のとおり、乗場に設けられるので、かごから出て乗場で操作することにより戸を閉じて休止させ、復帰させる場合は乗場で操作することにより戸を開き、かご内へ乗り込むことができる。
ところで、最終的には乗場に運転休止スイッチが設けられるが、据付途中であってエレベータのかごは昇降するものの、まだ乗場に運転休止スイッチが取り付けられていない場合（以下、特殊時という。）がある。このような特殊時にエレベータを休止させるには、かご内に取り付けられた上記政令規定の装置によって動力を遮断して昇降運転を阻止し、動力遮断による戸閉電動機の不動作に対して人為又は別途装着された戸閉機構によって戸を閉鎖することが考えられる。
【０００５】
しかし、政令規定の装置を安易にＯＮ−ＯＦＦすることは規定趣旨に反するので、次に運転を再開させる場合、動力が遮断された状態で戸を開扉させなければならない。このため、人為で戸を開放しなければならず、鍵で施錠を解いて戸を開放してかご内に乗り込み、上記政令規定の装置を復帰させなければない。
このように政令規定の装置によってエレベータを休止させる場合、運転を再開させるごとに鍵によって戸を解錠しなければならず面倒である、という問題があった。
また、仮に鍵を紛失した場合、運転再開が不可能となり、据付工程が遅延する、という問題もあった。
上記問題は、上記据付途中のエレベータに限らず、運転休止スイッチがかご内にのみ取り付けられるエレベータにも共通する問題である。
【０００６】
この発明は、上記問題点を解決するためになされたものであり、かご内に取り付けられた運転休止スイッチを操作してかごの昇降を阻止した後電源を遮断し、戸を閉鎖してエレベータの運転を休止させ、次にエレベータの運転を再開させる場合に上記電源を投入すると、戸を自動戸開させて、鍵による戸の解錠を不要とするエレベータの制御装置を提供することを目的とする。
【０００７】
【課題を解決するための手段】
この発明に係る第１のエレベータの制御装置は、エレベータの運転を、エレベータが最終的に具備すべき運転であって、乗場に設けられた運転休止スイッチによって休止する通常運転、並びに、通常運転に至る前の据付途中の運転であって、乗場に運転休止スイッチが未設置の状態で行われる特殊運転に切り分ける切替スイッチと、かご内に設けられ、通常運転の下ではエレベータの運転休止以外の目的に使用され、特殊運転の下では機能変更処理手段によって機能を変更して運転休止の目的に使用されるかご内スイッチと、を備え、切替スイッチによるエレベータの運転の切り分けに基づきかご内スイッチの操作状態をスイッチ状態判別手段で判別し、その判別結果によってエレベータを休止させてエレベータの戸を開放状態にし、更に、エレベータへの電源を遮断することにより人為によって又は別途装着された戸閉機構によって戸の閉鎖を可能とし、電源を再投入することにより電源投入時戸開指令手段を作動させて閉鎖している戸を開放状態にし、更に、かご内スイッチを操作することにより休止を解除して運転を再開させるようにしたものである。
【０００８】
この発明に係る第２のエレベータの制御装置は、第１のエレベータの制御装置において、  かご内に複数個のかご内スイッチが設けられ、スイッチ状態判別手段は、これら複数個のかご内スイッチの操作状態を判別し、その判別結果によってエレベータを休止させるようにしたものである。
【００１１】
この発明に係る第３のエレベータの制御装置は、第１のエレベータの制御装置において、電源投入時に、戸を開放させると共に、かご内照明装置を点灯させるようにしたものである。
【００１２】
【発明の実施の形態】
実施の形態１．
この実施の形態１では、通常運転を、エレベータが最終的に具備すべき運転であって、乗場に設けられた運転休止スイッチによって休止する運転とし、特殊運転を、上記通常運転とは異なる形態の運転とし、ここでは具体例として上記通常運転に至る前の据付途中の運転であって、上記乗場には上記運転休止スイッチは未設置の状態で行われる運転とし、この実施の形態では上記特殊運転のエレベータを休止させるエレベータの制御装置を示す。
図１から図６は、この発明の実施の形態１を示す。図１において、１はエレベータの機械室に設置された制御盤、２はこの制御盤１を含めてエレベータ全体に電源を供給し又は遮断する電源スイッチ、３はエレベータの運転を制御する運転制御部で、制御盤１の構成部分である。
【００１３】
４はエレベータが最終的に具備すべき運転である通常運転を制御する通常運転制御部で、実施の形態１では基準階乗場に設けられる運転休止スイッチ（ここでは据付途中であり未設置のために図示しない。）によって運転を休止し、又は再開するものとする。５は通常運転とは異なる特殊運転を制御する特殊運転制御部であって、この実施の形態１では通常運転に至る前の据付途中の運転を制御する。６は特殊運転において休止したエレベータに電源スイッチ２によって電源を投入したとき、戸開指令を発生する電源投入時戸開指令手段、７は制御盤１又はかご内に設置されたスイッチの機能を変更する機能変更処理手段、８は通常運転と特殊運転の切替を行う切替スイッチ、９は切替スイッチ８の動作状態を検出するスイッチ動作検出手段、１０はスイッチ動作検出手段９からの信号に基づき切替スイッチ８の動作状態を判別し、その判別結果を運転制御部３に伝達するスイッチ状態判別手段、１１は制御盤１と外部装置との信号の授受を行う制御盤入出力装置である。
【００１４】
２１はエレベータのかごに設置されたかご制御盤、２２はかご操作盤に取り付けられたかご内スイッチ、２３はかご内スイッチ２２の動作状態を検出するスイッチ動作検出手段、２４はかご制御盤２１と制御盤１との信号の授受を行うかご内入出力装置、２５はかご内に設置されたファンで、通常運転時はかご内スイッチ２２によってＯＮ−ＯＦＦ制御される。２６は戸の開閉を検出する戸開閉検出手段、２７は戸開閉検出手段２６の検出信号によって戸を開閉させる戸開閉装置、２８はかご内スイッチ２２に加えて戸開閉検出手段２６の検出信号によって作動してかご内照明装置２９を点滅させるかご内照明点滅手段である。
【００１５】
図２はかご操作盤３１に取り付けられたかご内スイッチ２２の詳細を示す。即ち、乗場呼びの登録された階床を通過する通過釦３２と、手動運転時に使用されて押下されている間のみ下降運転を継続させる下釦３３と、同様に上昇運転を継続させる上釦３４と、上記政令規定の装置であるＲＵＮ−ＳＴＯＰスイッチ３５と、ファン２５をＯＮ−ＯＦＦするファンスイッチ３６と、かご内照明装置２９を点滅させる照明スイッチ３７と、戸開閉装置２７の電源をＯＮ−ＯＦＦする戸スイッチ３８と、自動運転と手動運転の切替スイッチ３９と、運転手付運転と運転手なし運転の切替スイッチ４０からなる。なお、特殊運転時又は通常運転における混雑時は、主として運転手付運転が採用される。
なお、実施の形態１では、運転休止スイッチは本来基準階の乗場に設置されるものとしているので、かご内スイッチ２２には含まれない。
【００１６】
図３は機能変更処理手段７及びスイッチ状態判別手段１０の詳細を示す。即ち、切替スイッチ８が端子ａに接続されている場合、スイッチ状態判別手段１０は通常運転処理の判別をして、通常運転制御部４を作動させ、端子ｂに接続されている場合、スイッチ状態判別手段１０は特殊運転処理の判別をして、特殊運転制御部５を作動させる。
機能変更処理手段７は、ファンスイッチ３６の機能を変更するものであるが、通常運転処理の下では本来の機能のままとし、スイッチ状態判別手段１０はファンスイッチ３６が端子ａに接続されている場合はファン運転処理の判別をし、端子ｂに接続されている場合はファン停止処理の判別をする。
一方、特殊運転処理の下では機能変更処理手段７はファンスイッチ３６の本来の機能を変更し、この変更に基づいてスイッチ状態判別手段１０はファンスイッチ３６が端子ａに接続されている場合は特殊運転処理の判別をし、端子ｂに接続されている場合は運転休止処理の判別をする。即ち、ファンスイッチ３６を運転休止スイッチとして機能させる。
【００１７】
図４は電源投入時戸開指令手段６の詳細を示す。ファンスイッチ３６が端子ｂに接続されていて，電源スイッチ２が投入されると、単安定素子４５から所定の時間幅のパルスが発生してＡＮＤ素子４６を介して電源投入時戸開指令手段６に入力される。上記パルス信号によって電源投入時戸開指令手段６が作動して戸開閉装置２７を駆動して戸を開放する。
【００１８】
次に、図５及び図６に従って動作を説明する。図５は特殊運転中のエレベータを運転休止させる場合の流れ図である。従って、特殊運転であるから手順Ｓ１１で切替スイッチ８は端子ｂに接続されており、この接続によりファンスイッチ３６の機能は読み替えられる（手順Ｓ１２）。特殊運転中はファンスイッチ３６は端子ａに接続されている（手順Ｓ１３）。以上の手順Ｓ１１から手順Ｓ１３までの処理によりエレベータは特殊運転処理となる（手順Ｓ１４）。
【００１９】
特殊運転中のエレベータを休止させるには手順Ｓ１５でファンスイッチ３６を端子ａから端子ｂへ接続変更する。この接続変更によって手順Ｓ１６で特殊運転中のエレベータを運転休止させる処理がなされる。
即ち、手順Ｓ１７でエレベータの戸が開いていない場合は手順Ｓ１８で戸が開放され、手順Ｓ１９で戸開待機する。手順Ｓ２０でエレベータの管理者は制御盤１の電源スイッチ２を遮断してエレベータへの電源供給を断つ。この電源遮断によって手順Ｓ２１でかご内照明装置２９が消灯する。手順Ｓ２２で人為によって又は別途装着されたばね力等による戸閉機構によって戸を閉鎖し、手順Ｓ２３で運転休止となる。
【００２０】
次に図６に従って休止しているエレベータの特殊運転を再開させる場合について説明する。特殊運転の休止であるから、手順Ｓ２５で切替スイッチ８は端子ｂに、ファンスイッチ３６も端子ｂにそれぞれ接続されている。手順Ｓ２６で電源スイッチ２を閉成してエレベータに電源を供給する。手順Ｓ２７で戸が開いていない場合は手順Ｓ２８で戸が開く。即ち、図４に示したとおり、電源投入時戸開指令手段６が作動し、戸開閉装置２７を介して戸が開放される。手順Ｓ２９で戸の開放によってかご内照明装置２９が点灯する。従って、この点灯はかご内スイッチ２２のうちの照明スイッチ３７が仮に「切」であってもかご内照明装置２９を点灯させるものである。手順Ｓ３０で戸開待機する。エレベータの管理者はかご内に乗り込んでファンスイッチ３６を端子ａに接続する（手順Ｓ３１）。ファンスイッチ３６は機能変更されているので運転休止スイッチとして機能し、端子ａに接続することにより、運転休止が解除されて特殊運転が再開され、手順Ｓ３２で特殊運転処理がなされる。
【００２１】
上記実施の形態１によれば、かご内スイッチであってファンをＯＮ−ＯＦＦするファンスイッチ３６の機能を機能変更処理手段によって変更して特殊運転の運転休止スイッチとして機能するようにしたので、最終的には乗場に設けられる運転休止スイッチによって休止されるものの、その運転休止スイッチが未設置の状態で行われる特殊運転であっても、運転を休止させることができる。
また、運転休止しているエレベータの特殊運転を再開させる場合に、電源投入時戸開指令手段６を作動させて戸を開放するようにしたので、戸を閉じて休止していても、戸を鍵で解錠する必要がなく、容易に運転を再開できる。
更に、休止しているエレベータの戸が開放すると共に、かご内照明装置を点灯させたので、かご内スイッチの操作が容易である。
【００２２】
実施の形態２．
上記実施の形態１では、最終的には乗場に設置される運転休止スイッチによってエレベータを運転休止させるものであるが、運転休止スイッチが設置されるまでの間の特殊運転におけるエレベータの運転休止と運転再開に係る。
これに対して、この実施の形態２では、運転休止スイッチは乗場には設けられず、かご内にのみ設置されるエレベータの運転休止と運転再開に係る。従って、通常運転及び特殊運転の別を問わない。
【００２３】
図７及び図８は実施の形態２を示す。図中、図１から図４と同一符号は同一又は相当部分を示す。図７において、４１はかご操作盤３１に取り付けられた運転休止スイッチで、運転休止スイッチはかご内にのみ取り付けられ、乗場には取り付けられないものとする。
エレベータを運転休止させる場合は、図５において、手順Ｓ１１から手順Ｓ１４を省き、手順Ｓ１５の内容を「ファンスイッチ３６端子ａ→端子ｂ」から「運転休止スイッチ４１→休止」に替えて、以下手順Ｓ１６から手順Ｓ２３まで同一の処理でエレベータを運転休止させる。
【００２４】
次に、運転休止のエレベータを運転再開するには、図８において、手順Ｓ４１で電源スイッチ２によって電源を投入する。この電源投入により電源投入時戸開指令手段６が作動し、手順Ｓ４２で戸開していない場合は手順Ｓ４３で戸を開く。この戸開によりかご内照明点滅手段２８が作動して手順Ｓ４４でかご内照明装置２９を点灯させる。手順Ｓ４５で戸開待機をし、エレベータ管理者はかご内に乗り込み、手順Ｓ４６で運転休止スイッチ４１を休止から運転にする。手順Ｓ４７でエレベータは運転を再開する。
【００２５】
上記実施の形態２によっても、運転を再開させる場合に戸を鍵で解錠する必要がなく、容易に運転を再開できる。
また、休止しているエレベータの戸が開放すると共に、かご内照明装置２９を点灯させたので、かご内スイッチ２２の操作が容易となる。
【００２６】
実施の形態３．
上記実施の形態１では、機能変更処理手段７で機能変更して得られた運転休止スイッチによってエレベータを休止させるものとしたが、この実施の形態３は、ファンスイッチ３６の他に例えば照明スイッチ３７の機能も併せて変更し、両スイッチ３６及び３７がいずれも「切」となったときに初めてエレベータを休止させ、次に運転を再開させるために電源を投入したときも同様に両スイッチ３６及び３７がいずれも「切」となっているときのみ電源投入時戸開指令手段６を作動させて戸開するようにしたものである。具体例を図９に示す。特殊運転処理の下では照明スイッチ３７は機能変更され、「切」のときのみ特殊運転及び運転休止が可能となる。
これにより、限られた者にのみ運転休止及び運転再開の操作が可能となり、部外者による操作を排除できる。
なお、実施の形態２についても、同様に運転休止スイッチ４１に加えて他のスイッチとの組合せによって運転休止及び運転再開を行うようにしてもよい。
【００２７】
この発明に係る第１のエレベータの制御装置は、戸を閉じて休止していても、戸を鍵で解錠する必要がなく、容易に運転を再開できる、という効果を奏する。
また、据付途中のエレベータであって、機器が全て取り付けられていない状態で行われる特殊運転であっても、運転を休止させてエレベータ管理の徹底を図ることができる、という効果を併せて奏する。
【００２８】
この発明に係る第２のエレベータの制御装置は、第１のエレベータの制御装置において、運転休止及び運転再開の操作を限られた者に限定し、部外者による操作を排除することができる、という効果を併せて奏する。
【００３１】
この発明に係る第３のエレベータの制御装置は、第１のエレベータの制御装置において、かご内スイッチの操作が容易である、という効果を併せて奏する。
【図面の簡単な説明】
【図１】  この発明の実施の形態１におけるエレベータの制御装置の全体構成を示すブロック図。
【図２】  この発明の実施の形態１における要部を示す正面図。
【図３】  この発明の実施の形態１における動作の一部を示すブロック図。
【図４】  この発明の実施の形態１における動作の一部を示すブロック図。
【図５】  この発明の実施の形態１における動作を示す流れ図。
【図６】  この発明の実施の形態１における動作を示す流れ図。
【図７】  この発明の実施の形態２における要部を示す正面図。
【図８】  この発明の実施の形態２における動作を示す流れ図。
【図９】  この発明の実施の形態３における動作の一部を示すブロック図。
【符号の説明】
１  制御盤、  ２  電源スイッチ、  ３  運転制御部、  ４  通常運転制御部、  ５  特殊運転制御部、  ６  電源投入時戸開指令手段、  ７  機能変更処理手段、  ８  切替スイッチ、  ９  スイッチ動作検出手段、  １０  スイッチ状態判別手段、  １１  制御盤入出力装置、  ２１  かご制御盤、  ２２  かご内スイッチ、  ２３  スイッチ動作検出手段、  ２４  かご内入出力装置、  ２５ファン、  ２６  戸開閉検出手段、  ２７  戸開閉装置、  ２８  かご内照明点滅手段、  ２９  かご内照明装置、  ３１  かご操作盤、  ３２  通過釦、  ３３  下釦、  ３４  上釦、  ３５  ＲＵＮ−ＳＴＯＰスイッチ、  ３６  ファンスイッチ、  ３７  照明スイッチ、  ３８  戸スイッチ、  ３９  切替スイッチ、  ４０  切替スイッチ、  ４１  運転休止スイッチ。
【図１】
0004268264.tif 000002
【図２】
0004268264.tif 000003
【図３】
0004268264.tif 000004
【図４】
0004268264.tif 000005
【図５】
0004268264.tif 000006
【図６】
0004268264.tif 000007
【図７】
0004268264.tif 000008
【図８】
0004268264.tif 000009
【図９】
0004268264.tif 000010